(57)【要約】【課題】蓋部材の閉じ方向とイジェクトノブの折り畳み方向を同方向にすると、イジェクトノブの長手方向寸法分の無駄なスペースができ、セットの大きさが大きくなる。【解決手段】蓋部材２１を閉じるとき蓋部材２１がイジェクトノブ１０を折畳むように押し下げる構造において、蓋部材２１の閉じ方向２２とイジェクトノブ１０の折り畳み方向１２とを異なる方向にした。【選択図】　　　　図１
2004013189.tif 000002
【特許請求の範囲】
【請求項１】
蓋部材を閉じるとき蓋部材がイジェクトノブを折畳むように押し下げる構造において、蓋部材の閉じ方向とイジェクトノブの折り畳み方向を異なる方向にしたことを特徴とするイジェクトノブの折り畳み構造。
【発明の詳細な説明】
【０００１】
【発明の属する技術分野】
本発明は、デジタルカメラ、デジタルムービーなどに装填された記録媒体を取り出すために操作されるイジェクトノブの折り畳み構造に関する。
【０００２】
【従来の技術】
例えば、デジタルカメラでは、撮像素子であるＣＣＤに蓄積されたデータを読み出して画像データを形成し、画像記録媒体に記録し保存する。データが記録された記録媒体をカメラから取り出し、例えばパソコンに接続されたカードリーダーに装填することによって、画像データが読み込まれ、ディスプレイ画面に画像を表示させることができる。記録媒体をカメラから取り出すには、まず記録媒体の装填部を覆う蓋を回動させて開き、次いで記録媒体装填部の近傍に配置されたイジェクトノブを押圧操作することによって行う。
【０００３】
特開２００１−５４０５１号公報には、装填部に装填されている画像記録媒体を取り出すために押圧操作され、非操作時に回動式に折り畳むことが可能なイジェクトノブとを備えた記録媒体装填機構が示されている。図３はこれを示すもので、記録媒体収納スリット２３、電池収納部２４を覆う蓋部材２１を備えた電子機器２０が示されている。蓋部材２１は開いた状態を示しており、矢印２２で示す方向に揺動し閉じる。
【０００４】
イジェクトノブ１０は突出しており、これを真直ぐに押下げる動作によって、記録媒体（図示省略）を記録媒体収納スリット２３から抜き取る状態にすることができる。このイジェクトノブ１０は、突出している部分を折り畳んで、収納部２５内に収納するようになっている。この折り畳み動作は蓋部材２１を閉止するとき、蓋部材２１がイジェクトノブ１０の頭を押して、矢印１１で示すように、折り畳むようになっている。この蓋部材２１の閉止方向（矢印２２）とイジェクトノブ１０の折り畳み方向（矢印１１）とは同一方向となっている。
【０００５】
上記公報では、イジェクトノブ１０の折り畳み方向が蓋部材２１の閉じ方向と一致していない従前の技術では、記録媒体の装填操作を行う都度イジェクトノブ１０を手で折り畳み、その後蓋部材２１を閉じる必要があったが、この技術では方向を一致させることによって一動作でよいこととなったとしている。しかし、このような構造では、本体２０に無駄な部分３０を生ずるという問題がある。
【０００６】
【発明が解決しようとする課題】
以上のように、蓋部材の閉じ方向とイジェクトノブの折り畳み方向を同方向にすると、イジェクトノブの長手方向寸法分の無駄なスペースが生じ、本体の大きさが大きくなると云う問題がある。本発明はイジェクトノブの折り畳み方向と蓋部材の同じ方向とが一致していない場合でも蓋部材の閉止動作によってイジェクトノブを折り畳むことができるようにし、無駄なスペースを生ずるという従来の問題点を解決したイジェクトノブの折り畳み構造を提供することを目的とするものである。
【０００７】
【課題を解決するための手段】
本発明は、蓋部材を閉じるとき蓋部材がイジェクトノブを折畳むように押し下げる構造において、蓋部材の閉じ方向とイジェクトノブの折り畳み方向を異なる方向にしたことを特徴とするイジェクトノブの折り畳み構造である。
【０００８】
本発明はイジュクトノブに接触する蓋部材部分にイジュクトノブを折り畳む構造を設け、蓋部材の閉じる方向とイジュクトノブの折り畳み方向を変え、蓋部材を閉じると蓋部材がイジェクトノブの頭を押し、蓋部材を閉じるとこれに隨伴してイジュクトノブを折り畳むことができるようにしたものである。
【０００９】
【発明の実施の形態】
以下図面を参照して本発明の実施の形態を説明する。図１は本発明の実施例のイジェクトノブの折り畳み構造を示す斜視図、図２は折り畳み部の構造と作用を示す説明図である。図１には記録媒体収納スリット２３、電池収納部２４を覆う蓋部材２１を備えた電子機器２０が示されている。蓋部材２１は開いた状態を示しており、閉じるときは矢印２２で示す方向に揺動する。
【００１０】
イジェクトノブ１０は突出しており、まっすぐにこれを押下げる動作によって記録媒体（図示省略）をスリット２３から抜き取る状態にイジェクトすることができる。このイジェクトノブ１０は突出している部分が回動部１４となっており、この部分を、矢印１２で示すように、折り畳んで収納部２５内に収納するようになっている。この折り畳み動作は蓋部材２１を閉止するとき、蓋部材２１がイジェクトノブ１０の頭部１３を押して回動部１４を矢印１２で示すように折り畳むようになっている。この蓋部材２１の閉じ方向（矢印２２）とイジェクトノブ１０の折り畳み方向（矢印１２）とはこの実施例では９０゜異なる同一方向となっている。
【００１１】
記録媒体収納スリット２３に装填された記録媒体（図示省略）を取り出す際に操作されるイジェクトノブ１０は、カメラ内に収納されている図示されていない基部と、カメラから突出している回動部１４とから成り、回動部１４は基部に対して回動可能になっている。回動部を基部と一直線になる位置に回動させると、これがイジェクトノブ１０の操作時の姿勢で、図１はこの状態を示している。この状態でイジェクトノブ１０の上端を真直ぐに押し下げると記録媒体をイジェクトする。この姿勢から、矢印１２で示すように、回動部１４を約９０度回動させると（折り畳むと）、回動部１４が収納部２５に収納され、イジェクトノブ１０は不動作の姿勢となる。
【００１２】
記録媒体収納スリット２３は、記録媒体の着脱を行わないときは蓋部材２１によって覆われている。蓋部材２１は矢印２２で示す方向に回動式に開閉可能となっている。蓋部材２１の閉じ方向（矢印２２）は、イジェクトノブ１０の折り畳み方向（矢印１２）と異っている。蓋部材２１を閉位置に向けて回動させると、蓋部材２１の内面がイジェクトノブ１０の頭部１３に当接し、これを折り畳む。
【００１３】
図２は蓋部材２１の矢印２２方向の移動（閉じ動作）によりイジェクトノブ１０が矢印１２方向に折り畳まれる動作を示す説明図である。蓋部材２１が閉じ方向（矢印２２）に回動すると、蓋部材２１の内面に取り付けられた押圧部２６がイジェクトノブ１０の頭部１３を押圧し、イジェクトノブ１０の回動部を折り畳む。押圧部２６はイジェクトノブ１０を折り畳み方向（矢印１２）に倒す斜面２７を備えている。また、イジェクトノブ１０の頭部１３には斜面２７に誘導されて折り畳み方向に回動するような丸味が設けられている。押圧部２６の斜面２７がイジェクトノブ１０の頭部１３に当接すると、イジェクトノブ１０はイジェクト操作を行うことなく、回動部１４が回動する。そして、イジェクトノブ１０の頭部１３は、押圧部２６の斜面部を摺動しながら矢印１２の方向に移動し、蓋部材２１が閉じ切る前にイジェクトノブ１０の回動部１４は、図２中に１０ａで示すように折り畳まれた状態になる。
【００１４】
記録媒体を取り出す際には、蓋部材２１を開け、折り畳まれた状態にあるイジェクトノブ１０の回動部１４が基部と一直線になるように起こして、イジェクトノブ１０をまっすぐへ押し下げる。この押込み動作に連動して記録媒体の接点とコネクタの接点との係合が解除され、記録媒体は記録媒体収納スリット２３から若干突出し、指で容易に取り出し可能な状態となる。
【００１５】
図１に示す実施例ではイジェクトノブ１０の折り畳み方向を蓋部材２１の閉じ方向に直角な方向としたので、本体２０のうち図１に斜陰影を施して示した部分３０が不要となり、本体２０の小型化に寄与した。
【００１６】
【発明の効果】
本発明によれば、イジェクトノブの折り畳み方向を蓋部材の閉じ方向と異なる方向としたので、本体の無駄なスペースを省略することができ、本体全体の小型化に寄与する。また、蓋部材が閉位置（記録媒体装填部を覆う位置）に向けて移動する際に、蓋部材に設けた押圧部がイジェクトノブに当接してこれを折り畳むようにしたので、折り畳み動作が常に確実である。また、蓋部材の閉じ操作に先だってイジェクトノブを人手で折り畳む動作を省略することができる。そして、蓋部材の閉止に伴ってイジェクトノブが自動的に折り畳まれるので、操作性の向上を図ることができるとともに、折り畳み忘れによるイジェクトノブの破損を防止することができる。
【図面の簡単な説明】
【図１】実施例を示す斜視図である。
【図２】蓋部材とイジェクトノブの動作説明図である。
【図３】従来例を示す斜視図である。
【符号の説明】
１０、１０ａ　　イジェクトノブ
１１、１２　　矢印
１３　　頭部
１４　　回動部
２０　　本体
２１　　蓋部材
２２　　矢印
２３　　記録媒体収納スリット
２４　　電池収納部
２５　　収納部
２６　　押圧部
２７　　斜面
３０　　部分
【図１】
2004013189.tif 000003
【図２】
2004013189.tif 000004
【図３】
2004013189.tif 000005